(57)【要約】【課題】            従来のファスナー部材には、単なる連接作用があるのみで、商品を管理するための情報データを有するＩＣチップは必要において、別途に装着しなければならず、作業が煩わしく、時間や労力を費やしてしまうものであり、そのＩＣチップとファスナー部材とを使い勝手よく、また、損傷の虞なく一体化させたものは存在していなかったという点である。【解決手段】        硬質材によって成形された基材を有し、その基材に一体的にフィラメント部を連結し、そのフィラメント部の先端に対象物を連結可能とした硬質材によって成形された連結部を有するファスナー部材において、前記した基材もしくは連結部にＩＣチップを搭載してあることとし、前記した基材はＴ字バーとし、連結部にはタグを一体的に連結する構成としてＩＣチップは連結部に搭載してあることとする。【選択図】          図１
2013109121.tif 000002
【特許請求の範囲】
【請求項１】
硬質材によって成形された基材を有し、その基材に一体的にフィラメント部を連結し、そのフィラメント部の先端に対象物を連結可能とした硬質材によって成形された連結部を有するファスナー部材において、前記した基材もしくは連結部にＩＣチップを搭載してあることを特徴とするファスナー部材。
【請求項２】
前記した基材はＴ字バーとし、連結部にはタグを一体的に連結する構成としてＩＣチップは連結部に搭載してあることを特徴とする請求項１に記載のファスナー部材。
【請求項３】
前記した基材は挿通孔を形成した受部とし、前記した連結部は前記挿通孔に挿し込み固定される挿し込み部とし、フィラメント部は挿し込み部方向に向かって徐々に径を小さくする円錐体を連続したものとし、そのフィラメント部でループを形成し、前記した受部の一部にタグの基端を取り付け固定する取り付け部を設けてあることを特徴とする請求項１に記載のファスナー部材。
【請求項４】
前記した基材は挿通孔を形成した受部とし、前記した連結部は前記挿通孔に挿し込み固定される挿し込み部とし、フィラメント部はプラスチックもしくはナイロン製、または金属製の線状体とし、そのフィラメント部でループを形成するものであることを特徴とする請求項１に記載のファスナー部材。
【請求項５】
前記した基材は挿通孔を形成した受部とし、前記した連結部は前記挿通孔に挿し込み固定される挿し込み部とし、フィラメント部は繊維の撚糸とし、そのフィラメント部でループを形成するものであることを特徴とする請求項１に記載のファスナー部材。
【請求項６】
前記した基材は挿通孔を形成した受部とし、前記した連結部は前記挿通孔に挿し込み固定される挿し込み部とし、フィラメント部はエラストマーとし、そのフィラメント部でループを形成するものであることを特徴とする請求項１に記載のファスナー部材。
【請求項７】
前記した基材は挿通孔を形成した受部とし、前記した連結部は前記した挿通孔に挿し込み固定される挿し込み部とし、フィラメント部はフレキシブルなチェーン状のものとし、そのフィラメント部でループを形成するものであることを特徴とする請求項１に記載のファスナー部材。
【請求項８】
前記した基材はフィラメント部の略中央に挿通孔を形成した受部を配し、その受部にＩＣチップを搭載し、前記した連結部はフィラメント部の両端に備えられた挿し込み部とし、その各々の挿し込み部によって二つのループを形成されるものとし、前記した受部内におけるフィラメント部はＩＣチップ位置を囲むように配されたアンテナ部材としてあることを特徴とする請求項１に記載のファスナー部材。
【請求項９】
前記した基材はＴ字バーとし、前記した連結部はフィラメント部の一端に固着されたタグとし、そのタグにＩＣチップを搭載するとともに、そのＩＣチップを囲むようにアンテナ部材を配してあることを特徴とする請求項１に記載のファスナー部材。
【請求項１０】
前記したフィラメント部にＩＣチップと対応するアンテナ部材を埋設あるいは撚り込み、もしくは絡め付けしてあることを特徴とする請求項１から９のうち１項に記載のファスナー部材。
【請求項１１】
硬質材によって成形された基材を有し、その基材に一体的にフィラメント部を連結し、そのフィラメント部の先端に対象物を連結可能とした硬質材によって成形された連結部を有し、前記した基材もしくは連結部にＩＣチップを搭載したファスナー部材をランナー部材に切離可能に一定ピッチで並列したアッセンブリとし、そのアッセンブリを装着し、順次、単一のファスナー部材を目的物に装着する装着器具であって、そのカバーケーシングの一部に前記ＩＣチップと対応するリーダーライターを設けてあることを特徴とするファスナー部材の装着器具。
【発明の詳細な説明】
【技術分野】
【０００１】
本発明は魚介類や食肉、野菜、果実等の生鮮食品のほか、衣服等のアパレル製品や日用品、雑貨品を対象として、そこにブランドタグや商品の品質、価格を表示したタグを装着あるいは複数の対象物を連結してまとめたり、結束する目的で使用されるファスナー部材及び、そのファスナー部材がアッセンブリとして製造された場合、順次単一品を対象物に装着していく装着器具に関する。
【背景技術】
【０００２】
従来、上記した目的のため、多様な構成をしたタグの装着部材やバンド部材が、種々の素材を用いて成形され提供されている。このファスナー部材が装着された商品は生産地あるいは製造工場から流通経路を経て需要者に供されるが、その際、その商品を管理するための電子タグ、多くは非接触式として内容を読み取り確認できるデータが書き込まれたＩＣチップを利用するが、そのＩＣチップの搭載はフィラメント部材と別途に作業を行う必要があり、作業に時間と労力を要することとなり、効率が悪いものとなっていた。
【０００３】
ここで、特許文献９として示すアメリカ合衆国特許には、フィラメントの一端に表示部を有するパドルを一体に備え、他端に対象物に係止するためのＴ字バーを一体に備えた部材が示され、そのうちＴ字バー部分にチップを埋設した構成が示されている。しかし、この構成にあって示されるファスナー部材はＴ字バーの外側に切離可能な短寸の連結棒が設けられ、ランナーバーに複数個が並列されたアッセンブリとして製作されるもので、対象物に装着する場合、スリットを形成したニードルを刺し込み、ピストンでこのＴ字バーを対象物の向こう側へ押し出す。この際に短寸の連結棒はカッターで切断され、フィラメントはニードルのスリットから逃がされる。
【０００４】
かかる作業を行うため、Ｔ字バーはニードルを通過する際に強制的に変形され、チップも歪められることとなり、また、このＴ字バーは極細のもので、チップを埋設する工程は非常に困難であって、現実として実用的なものではない。
【先行技術文献】
【特許文献】
【０００５】
【特許文献１】特願２００９−１４４１６１号出願書類
【特許文献２】特願２０１０−１０９９３０号出願書類
【特許文献３】特許第３５４７３２４号公報
【特許文献４】特許第３６２８１４４号公報
【特許文献５】特願２００７−１３４０１９号公報
【特許文献６】特願２００８−２７１６５３号公報
【特許文献７】特許第３９５３１６３号公報
【特許文献８】特許第３９７６４５１号公報
【特許文献９】アメリカ合衆国特許第５６３１６３１号公報
【発明の概要】
【発明が解決しようとする課題】
【０００６】
本発明が解決しようとする問題点は、従来のファスナー部材には、単なる連接作用があるのみで、商品を管理するための情報データを有するＩＣチップは必要において、別途に装着しなければならず、作業が煩わしく、時間や労力を費やしてしまうものであり、そのＩＣチップとファスナー部材とを使い勝手よく、また、損傷の虞なく一体化させたものは存在していなかったという点である。
【課題を解決するための手段】
【０００７】
前記した問題点を解決するために、本発明に係るファスナー部材は、硬質材によって成形された基材を有し、その基材に一体的にフィラメント部を連結し、そのフィラメント部の先端に対象物を連結可能とした硬質材によって成形された連結部を有するファスナー部材において、前記した基材もしくは連結部にＩＣチップを搭載してあることを特徴とし、前記した基材はＴ字バーとし、連結部にはタグを一体的に連結する構成としてＩＣチップは連結部に搭載してあることを特徴としている。
【０００８】
また、本発明に係るファスナー部材は、前記した基材は挿通孔を形成した受部とし、前記した連結部は前記挿通孔に挿し込み固定される挿し込み部とし、フィラメント部は挿し込み部方向に向かって徐々に径を小さくする円錐体を連続したものとし、そのフィラメント部でループを形成し、前記した受部の一部にタグの基端を取り付け固定する取り付け部を設けてあることを特徴とし、前記した基材は挿通孔を形成した受部とし、前記した連結部は前記挿通孔に挿し込み固定される挿し込み部とし、フィラメント部はプラスチックもしくはナイロン製、または金属製の線状体とし、そのフィラメント部でループを形成するものであることを特徴としている。
【０００９】
さらに、本発明に係るファスナー部材は、前記した基材は挿通孔を形成した受部とし、前記した連結部は前記挿通孔に挿し込み固定される挿し込み部とし、フィラメント部は繊維の撚糸とし、そのフィラメント部でループを形成するものであることを特徴とし、前記した基材は挿通孔を形成した受部とし、前記した連結部は前記挿通孔に挿し込み固定される挿し込み部とし、フィラメント部はエラストマーとし、そのフィラメント部でループを形成するものであることを特徴としている。
【００１０】
そして、本発明に係るファスナー部材は、前記した基材は挿通孔を形成した受部とし、前記した連結部は前記した挿通孔に挿し込み固定される挿し込み部とし、フィラメント部はフレキシブルなチェーン状のものとし、そのフィラメント部でループを形成するものであることを特徴とし、前記したフィラメント部にＩＣチップと対応するアンテナ部材を埋設あるいは撚り込み、もしくは絡め付けしてあることを特徴とし、前記した基材はフィラメント部の略中央に挿通孔を形成した受部を配し、その受部にＩＣチップを搭載し、前記した連結部はフィラメント部の両端に備えられた挿し込み部とし、その各々の挿し込み部によって二つのループを形成されるものとし、前記した受部内におけるフィラメント部はＩＣチップ位置を囲むように配されたアンテナ部材としてあることを特徴とし、前記した基材はＴ字バーとし、前記した連結部はフィラメント部の一端に固着されたタグとし、そのタグにＩＣチップを搭載するとともに、そのＩＣチップを囲むようにアンテナ部材を配してあることを特徴としている。
【００１１】
また、アッセンブリとしたファスナー部材を対象物に装着するための装着器具は、硬質材によって成形された基材を有し、その基材に一体的にフィラメント部を連結し、そのフィラメント部の先端に対象物を連結可能とした硬質材によって成形された連結部を有し、前記した基材もしくは連結部にＩＣチップを搭載したファスナー部材をランナー部材に切離可能に一定ピッチで並列したアッセンブリとし、そのアッセンブリを装着し、順次、単一のファスナー部材を目的物に装着する装着器具であって、そのカバーケーシングの一部に前記ＩＣチップと対応するリーダーライターを設けてあることを特徴としている。
【発明の効果】
【００１２】
本発明に係るファスナー部材及びその装着器具は上記のように構成されている。そのため、ファスナー部材の装着作業のみで、商品管理のためのＩＣチップも同時に商品に付設されることとなり、複数に亘る装着作業の手間が省けることとなる。そして、ＩＣチップはファスナー部材の硬質部に装備されるため、変形や衝撃に対しても強く、損傷してしまうこともない。また、ＩＣチップには無線の送受信のためのアンテナが付設されているが、ファイバー部にアンテナ用として導電材を付加することで、その送受信状態をアップさせることができる。
【図面の簡単な説明】
【００１３】
【図１】本発明の第一実施例を示す図である。
【図２】使用状態を示す図である。
【図３】第二実施例を示す図である。
【図４】側面図である。
【図５】使用されるタグの図である。
【図６】第三実施例を示す図である。
【図７】変形例である。
【図８】第四実施例を示す図である。
【図９】変形例である。
【図１０】第五実施例を示す図である。
【図１１】アッセンブリ状態を示す図である。
【図１２】フィラメント部に糸を使用したアッセンブリを示す図である。
【図１３】側面図である。
【図１４】装着器具を示す図である。
【図１５】タグを連結したファスナー部材を示す図である。
【図１６】フィラメント部の中央に受部を配したファスナー部材を示す図である。
【図１７】タグにＩＣチップとアンテナ部材を搭載したファスナー部材を示す図である。
【発明を実施するための形態】
【００１４】
図面として示し、実施例で説明したように構成したことで実現した。
【実施例１】
【００１５】
次に、本発明の第一実施例を図１及び図２を参照して説明する。図中４はプラスチックで成形された線状のフィラメント部を示している。このフィラメント部４の一端には対象物への係止用のＴ字バー３が一体的に設けられている。尚、このＴ字バー３はその外面で短寸のピン状連結材によって図示しないランナーバーに接続され、複数のものが一定間隔を隔てて集合されたアッセンブリとされている。
【００１６】
フィラメント部３の他端にはブランドタグ５の連結部６が一体的に形成されている。この連結部６はアッセンブリ状態でブランドタグ５も装備された状態となり、これが嵩張って大きなスペースをとらないようにＴ字バー３もしくはランナーバーの軸芯に対し、略４５度となるように強制する偏平六角形となっており、そのブランドタグ５の挟持部スリットを前記角度で形成してある。
【００１７】
この連結部６は硬質なプラスチックで成形されており、その一部に対象となる商品（この実施例にあっては生きた状態の魚）のデータ、即ちＤＮＡ、水揚地、その他の管理データが入力されたＩＣチップＣが搭載されている。この搭載は埋設のほか、貼着して表面をコーティングする等種々の方法が用いられ、連結部６に直接プリントすることも可能である。
【００１８】
また、前記したフィラメント部４には導電性のアンテナ部材Ａが埋設され、ＩＣチップＣの通信機能を補助するものとしている。このアンテナ部材Ａの埋設やＩＣチップＣの搭載は、このファスナー部材のアッセンブリを製作する際に工程として組み込まれるものとされている。
【００１９】
このブランドタグ５と一体的に備えたファスナー部材のアッセンブリはランナーバーを装着器具８に装填することで、一本づつ対象物に装着される。装着器具８にはスリットを形成したニードルが備えられ、このニードルを対象物（この場合、魚の背ビレの基端筋肉）へ突き刺し、ピストン部材でＴ字バー３を押すことで装着される。この際フィラメント部４はニードルのスリットによって逃がされる。そして、この装着器具８の一部にＩＣチップＣのデータを書き込み、あるいは読み取るリーダー、ライターＲＷを装着しておくと、作業がより一層スムーズに実行できる。
【実施例２】
【００２０】
次に、図３乃至図５を用いて第二実施例を説明する。この図３乃至図５にあって１は本実施例におけるフィラメント部を示しており、このフィラメント部１の一端には挿通孔７を形成した受部１３が一体に備えられており、他端には前記挿通孔７に挿し込まれ、フィラメント部１によってループを形成する挿し込み部２が一体的に形成されている。この挿し込み部２と受部１３は少なくとも硬質のプラスチックで成形されている。
【００２１】
フィラメント部１は挿し込み部２方向に向かって徐々に径を小さくする円錐体１４、１４‥が連続して形成されているもので、挿し込み部２を挿通孔７へ挿し込み、引き絞ることで、フィラメント部１によるループ径を自在に調整でき、その戻りを防止する係止部となる。挿し込み部２の先端１５は１８０度位置で対向する一対のスリットが形成され、そのスリットによって先端１５の径の収縮が図れ、挿通孔７への挿し込みを行ない易くしている。
【００２２】
前記した受部１３の外側面にはＩＣチップＣが搭載されており、この搭載方法は前記と同様である。また、この受部１３の前端面には、その前端面に対して略４５度の角度でタグ１６の取り付け部１２が一体に形成されている。タグ１６は基端に取り付け用の舌片１４１が一体に形成され、その舌片１４１にはピンホール１５１が穿設されているもので、このピンホール１５１に取り付け部１２の成形素材を通すことで一体化を図り、タグ１６の抜け止めが図られている。
【実施例３】
【００２３】
次に、図６、図７を参照して第三実施例を説明する。図中１０は第三実施例に係るファスナー部材を示しており、１１はプラスチックで成形された線状のフィラメント部を示している。このフィラメント部１１の一端には、内面に係止部１２ａを形成した挿通孔７ａを有する受部１３ａが設けられている。この受部１３ａとフィラメント部１１の連結はフィラメント部１１の端部に設けられた芯玉２０で係合されるものとなっており、この場合の芯玉２０は第一の芯玉２０ａ及び第二の芯玉２０ｂとより構成されている。この受部１３ａの一部にＩＣチップＣが搭載されており、この搭載方法は前記と同様である。
【００２４】
一方、フィラメント１１の他端には、受部１３ａの挿通孔７ａへ挿し込まれ、係止部１２ａと係合し、ロックされる挿し込み部２ａが設けられている。この挿し込み部２ａには指先での摘み部２ｂが設けられ、その摘み部２ｂの外方に実際に挿通孔７ａへ挿し込まれる挿し入れ部２ｃが形成されているもので、フィラメント部１１は摘み部２ｂを貫通し、挿し入れ部２ｃまで到達している。この挿し入れ部２ｃの外方には下端に前記係止部１２ａと係合する係合部２ｄを拡開させたキャップカバー２ｅが取り付けられている。
【００２５】
また、図７は変形例であり、受部１３ａの挿通孔７ｂはフィラメント部１１の軸芯方向と直線上となる、受部１３ａの後端面に開口されている。フィラメント部１１は撚糸が用いられその一端が受部１３ａの前面に深く嵌入され接着剤で止着されることで一体化が図られ、この受部１３ａの一部には前記と同様の方法によってＩＣチップＣが搭載されている。フィラメント部１１によってループを形成することは前記と同様である。尚、アンテナ部材Ａはこの場合、フィラメント部１１に撚り込むこともできる。
【実施例４】
【００２６】
次に、図８、図９を参照して第四実施例を説明する。この第四実施例はフィラメント部１１１としてエラストマーを用いた例である。このフィラメント部１１１の一端には後端面を開口した挿通孔を形成した受部１３ｂが一体に設けられているもので、この受部１３ｂの一部にＩＣチップＣが前記と同様の方法で搭載されている。受部１３ｂには後述する挿し込み部２ｆの嵌装状態が視認できる窓孔１８が形成され、その窓孔１８内で係止部１２ｂが形成されている。
【００２７】
一方、フィラメント部１１１の他端には、前記受部１３ｂの挿通孔に嵌合されて、フィラメント部１１１でループを形成する挿し込み部２ｆが一体に備えられている。この挿し込み部２ｆには受部１３ｂの挿通孔の開口縁と密に当接するストッパ段差２ｇを形成し、その先方に先端面を球面状とし、基端に係合段差２ｉを形成した先端部２ｈを形成したものとなっている。
【００２８】
この形態のファスナー部材は、図９として示すように、受部１３ｂと挿し込み部２ｆを予め形成し、その基部に各々設けられたインサート部１９、１９により、フィラメント部１１１と一体化することができる。
【実施例５】
【００２９】
次に、図１０を参照して本発明の第五実施例を説明する。この実施例としてフィラメント部１１２はプラスチック製のチェーン部材が用いられている。このフィラメント部１１２の一端は連結桿２００の先端に設けられたリング２１と連結され、前記連結桿２００の端部には挿通孔２２を形成した受部２３が一体に連結されている。そして、この受部２３の一部に前記したと同様の方法でＩＣチップＣが搭載されている。
【００３０】
一方、フィラメント部１１２の他端には挿し込み部２４がリング２５を介して連結されているもので、挿し込み部２４の挿入部２４ａを挿通孔２２に挿し込むことでフィラメント部１１２はループを形成することとなり、挿入部２４ａに形成されたくびれが挿通孔２２の内壁面に形成された係止部と係合してロック状態とされる。
【実施例６】
【００３１】
続いて図１１を参照して第六実施例を説明する。この図１１は複数のファスナー部材のアッセンブリＡＢを示している。単体としてのファスナー部材はフィラメント部１１３として糸を用いてある。このフィラメント部１１３の一端には対象物を通過して抜け止めを図るＴ字バー２６が一体に備えられている。また、このＴ字バー２６はその外端で短寸の連結ピン２７を介してランナーバー２８と連接されている。このランナーバー２８を装着器具に装填し、順次一本づつファスナー部材を対象物に装着していくこととなる。その際に、連結ピン２７は装着器具に設けられているカッターで切断され、ファスナー部材はランナーバー２８から切離される。
【００３２】
一方、フィラメント部１１３の他端には、フィラメント部１１３がピンホールに挿通されて吊持するタグの抜け止め用のパドル部２９が一体に備えられている。このパドル部２９はランナーバー２８と同様の硬質のプラスチックで成形されており、このパドル部２９の一部に前記したと同様の方法でＩＣチップＣが搭載されている。尚、アッセンブリＡＢの状態で、このパドル部２９がバラけることのないように、各パドル部２９、２９‥間は短寸の連結ピン３０によって連結されている。対象物への装着時にはこの連結ピン３０も切離されることは勿論である。
【実施例７】
【００３３】
次に、図１２、図１３及び図１４を参照して本発明の第七実施例を説明する。この場合もフィラメント部１１３ａとして糸を用いたファスナー部材のアッセンブリＡＢを示している。この場合、フィラメント部１１３ａの一端に挿通孔７ｃを形成して受部１３ｃを備え、他端には前記した挿通孔７ｃに挿し込まれてフィラメント部１１３ａでループを形成する挿し込み部２ｊが備えられている。また、前記した受部１３ｃ及び挿し込み部２ｊはその外面で短寸の連結ピン２７、２７‥によって各々ランナーバー２８ｂ、２８ａと一体に連結されている。この場合、受部１３ｃの一部に前記したと同様の方法でＩＣチップＣが搭載されている。
【００３４】
このアッセンブリＡＢは図１４として示す専用の装着器具８ａによって対象物に装着される。この装着器具８ａの一部には前記と同様にＩＣチップＣと対応するリーダーライターＲＷが搭載されている。この装着器具８ａは受部１３ｃと挿し込み部２ｊに各々対応する送り路が設けられ、レバーの操作で一本づつを送り込み、両者を合わせ嵌め合わせることで目的となるループを作成することができる。この装着器具８ａには前記した各々のランナーバー２８ａ、２８ｂを各々送り状態でセットすることとなる。
【実施例８】
【００３５】
次に、図１５を参照して本発明の第八実施例を説明する。この場合のフィラメント部１１３ｂは糸が使用されており、そのフィラメント部１１３ｂの略中央でＵ字状に屈曲され、その屈曲部分はプラスチック製の固定部材３２で位置決めされている。勿論、このフィラメント部１１３ｂは一本のものではなく、二本をこの固定部材３２で連結するものとしてもよい。
【００３６】
このフィラメント部１１３ｂは一端には挿通孔７ｄを形成した受部１３ｄが備えられ、この受部１３ｄに前記したと同様の方法でＩＣチップＣが搭載されている。また、フィラメント部１１３ｂの他端には前記した挿通孔７ｄに挿入され、フィラメント部１１３ｂでループを形成することのできる挿し込み部２ｋが備えられている。さらに、この挿し込み部２ｋ及び受部１３ｄの基端には各々ボール状の連結部３１ａ、３１ｂが備えられ、使用前の状態で、この連結部３１ａ、３１ｂはポイント接合されており、フィラメント部１１３ｂがバラけることのないよう一体化してある。
【００３７】
さらに、前記した固定部材３２の外端には予めタグ５ａが一体的に固定されたものとなっており、フィラメント部１１３ｂでループを形成して対象物に装着することで、その対象物にタグ５ａを装備させることができるものとなっている。
【実施例９】
【００３８】
次に、図１６を参照して第九の実施例を説明する。この場合、フィラメント部１１４の両端に硬質材による挿し込み部２ｌ、２ｌが設けられている。また、このフィラメント部１１４の略中央にはフィラメント部１１４と平行方向に両端面に挿通孔が形成されており、その挿通孔に各々の挿し込み部２ｌ、２ｌを挿し込み固定することで、二つのループを形成することを可能としている。
【００３９】
また、受部１３ｅの側面略中央には前記したと同様の方法によりＩＣチップＣが搭載されている。そして、前記受部１３ｅ内にあってフィラメント部１１４は金属成分を有するアンテナ部材Ａとなっており、そのアンテナ部材ＡはＩＣチップＣの位置を囲むように屈曲させて形成されている。
【実施例１０】
【００４０】
次いで、図１７を参照して第十の実施例を説明する。この第十実施例は第一実施例を変形させたもので、連結部６は格別に角度を強制するものとする必要もない。フィラメント部４の一端にＴ字バー３を備え、他端に連結部６を備えており、この連結部６にはタグ５ａが一体的に固定されている。ここでタグ５ａは硬質材によるものを想定しており、その一部に前記したと同様の方法でＩＣチップＣが搭載されている。
【００４１】
また、Ａはアンテナ部材を示しており、この実施例の場合、このアンテナ部材Ａが略Ｕ字状の長尺のものが用いられ、その中央部分となる屈曲部分でＩＣチップＣを囲むように構成してある。
【産業上の利用可能性】
【００４２】
本発明に係るファスナー部材は上記のように構成されている。実施例１としてアンテナ部材Ａをフィラメント部４に埋設する構成を示したが、このアンテナ部材Ａはフィラメント部が糸を用いた場合には細線のものとして撚り込むこともできるし、また、他の構成の場合、絡め付けたり、巻き付けたりする構成とすることも可能である。
【符号の説明】
【００４３】
１    フィラメント部
２    挿し込み部
２ａ  挿し込み部
２ｂ  摘み部
２ｃ  挿入部
２ｄ  係合部
２ｅ  キャップカバー
２ｆ  挿し込み部
２ｇ  ストッパ段差
２ｈ  先端部
２ｉ  係合段差
２ｊ  挿し込み部
２ｋ  挿し込み部
２ｌ  挿し込み部
３    Ｔ字バー
４    フィラメント部
５    ブランドタグ
５ａ  タグ
６    連結部
７    挿通孔
７ａ  挿通孔
７ｂ  挿通孔
７ｃ  挿通孔
７ｄ  挿通孔
８    装着器具
１０  ファスナー部材
１１  フィラメント部
１２  取り付け部
１２ａ  係止部
１２ｂ  係止部
１３  受部
１３ａ  受部
１３ｂ  受部
１３ｃ  受部
１３ｄ  受部
１３ｅ  受部
１４  円錐体
１５  先端
１８  窓孔
１９  インサート部
２０  芯玉
２１  リング
２２  挿通孔
２３  受部
２４  挿し込み部
２５  リング
２６  Ｔ字バー
２７  連結ピン
２８  ランナーバー
２８ａ  ランナーバー
２８ｂ  ランナーバー
２９  パドル部
３０  連結ピン
３１ａ  連結部
３１ｂ  連結部
３２  固定部材
１１１  フィラメント部
１１２  フィラメント部
１１３  フィラメント部
１１３ａ  フィラメント部
１１３ｂ  フィラメント部
１１４  フィラメント部
１４１  舌片
１５１  ピンホール
２００  連結桿
Ａ    アンテナ部材
ＡＢ  アッセンブリ
Ｃ    ＩＣチップ
【図１】
2013109121.tif 000003
【図２】
2013109121.tif 000004
【図３】
2013109121.tif 000005
【図４】
2013109121.tif 000006
【図５】
2013109121.tif 000007
【図６】
2013109121.tif 000008
【図７】
2013109121.tif 000009
【図８】
2013109121.tif 000010
【図９】
2013109121.tif 000011
【図１０】
2013109121.tif 000012
【図１１】
2013109121.tif 000013
【図１２】
2013109121.tif 000014
【図１３】
2013109121.tif 000015
【図１４】
2013109121.tif 000016
【図１５】
2013109121.tif 000017
【図１６】
2013109121.tif 000018
【図１７】
2013109121.tif 000019